(57)【要約】【課題】ユーザが検索キーを直接指定しなくてもよいコンテンツ検索装置を提供すること。【解決手段】コンテンツを取得するコンテンツ取得手段１と、前記コンテンツに関連する属性情報を取得する属性情報取得手段２と、検索キーと前記検索キーに関連付けてコンテンツに関連する属性情報とを記憶する検索キー記憶手段３と、前記取得された属性情報と前記記憶された検索キーと関連付けて記憶されている属性情報とを照合し検索キーに使用する検索キーを決定する検索キー決定手段４と、前記決定された検索キーを使用して前記コンテンツを検索するコンテンツを検索する検索手段５とで構成する。【選択図】      図１
2006311462.tif 000002
【特許請求の範囲】
【請求項１】
コンテンツを取得するコンテンツ取得部と、
前記コンテンツに関連する属性情報を取得する属性情報取得部と、
前記コンテンツの中の位置を検索するための検索キーと、前記検索キーに関連付けてコンテンツに関連する属性情報とを記憶する検索キー記憶部と、
前記取得された属性情報と、前記記憶されている属性情報とを照合し、照合条件を満たす属性情報に関連する検索キーを抽出する検索キー決定部と、
前記決定された検索キーを使用して前記取得したコンテンツを検索する検索部と、
を有する
ことを特徴とするコンテンツ検索装置。
【請求項２】
前記コンテンツと前記属性情報を関連付けて記録するコンテンツ記録部と、
前記検索部における検索結果を前記記録されたコンテンツと関連付けて記録する検索結果記録部と、
を有する
ことを特徴とする請求項１記載のコンテンツ検索装置。
【請求項３】
前記コンテンツと前記コンテンツに関連する属性情報を関連付けて保持するコンテンツ保持部と、
前記検索部における検索結果を前記記録されたコンテンツと関連付けて記録する検索結果記録部と、
を有し、
前記コンテンツ取得部は、前記コンテンツ保持部から前記コンテンツを取得し、
前記属性情報取得部は、前記コンテンツ保持部から前記コンテンツに関連する属性情報を取得する
ことを特徴とする請求項１記載のコンテンツ検索装置。
【請求項４】
前記属性情報は、番組タイトル、番組ジャンル、曜日、時刻、日付、番組チャンネル、番組コーナー、カットシーン、または、番組タイトルの一部の中の少なくとも一つである
ことを特徴とする請求項１記載のコンテンツ検索装置。
【請求項５】
ユーザが前記検索キー記憶部に記憶されている属性情報から複数の属性情報を指定し、
前記取得された複数の属性情報と、前記記憶され、かつ、前記指定された複数の属性情報とが一致したときに前記照合条件が具備されたとする
ことを特徴とする請求項１記載のコンテンツ検索装置。
【請求項６】
前記検索キー記憶部に記憶されている複数の属性情報がグループ化されて記憶され、
前記取得された複数の属性情報と、前記記憶され、かつ、前記グループ化された複数の属性情報とを比較し、その比較した結果によって最も一致している属性情報の数の多いグループを一致したときに前記照合条件が具備されたとする
ことを特徴とする請求項１記載のコンテンツ検索装置。
【請求項７】
前記属性情報取得部は、ＥＰＧから前記コンテンツの属性情報を取得する
ことを特徴とする請求項１記載のコンテンツ検索装置。
【請求項８】
前記属性情報取得部は、ユーザが指定した属性情報を取得する
ことを特徴とする請求項１記載のコンテンツ検索装置。
【請求項９】
前記検索キー記憶部は、ユーザが指定した属性情報を検索キーに付与して登録されている
ことを特徴とする請求項１記載のコンテンツ検索装置。
【請求項１０】
前記検索キーが音響特徴量から構成される音響検索キーであり、
前記検索部は、前記検索キーと前記コンテンツの音響信号とが類似する部分を検索する
ことを特徴とする請求項１記載のコンテンツ検索装置。
【請求項１１】
前記検索キーが文字テキストであり、
前記検索部は、前記コンテンツの音声を音声認識した後。前記音声認識した部分から前記検索キーに基づいて検索する
ことを特徴とする請求項１記載のコンテンツ検索装置。
【請求項１２】
前記検索キーが映像特徴量から構成される映像検索キーであり、
前記検索部は、前記コンテンツの映像信号と類似する部分を検索する
ことを特徴とする請求項１記載のコンテンツ検索装置。
【請求項１３】
前記検索部は、登録される検索キー数の上限を定めている
ことを特徴とする請求項１記載のコンテンツ検索装置。
【請求項１４】
コンテンツを取得するコンテンツ取得ステップと、
前記コンテンツに関連する属性情報を取得する属性情報取得ステップと、
前記コンテンツの中の位置を検索するための検索キーと、前記検索キーに関連付けてコンテンツに関連する属性情報とを記憶する検索キー記憶ステップと、
前記取得された属性情報と、前記記憶されている属性情報とを照合し、照合条件を満たす属性情報に関連する検索キーを抽出する検索キー決定ステップと、
前記決定された検索キーを使用して前記取得したコンテンツを検索するコンテンツを検索する検索ステップと、
を有する
ことを特徴とするコンテンツ検索方法。
【請求項１５】
コンテンツを取得するコンテンツ取得機能と、
前記コンテンツに関連する属性情報を取得する属性情報取得機能と、
前記コンテンツの中の位置を検索するための検索キーと、前記検索キーに関連付けてコンテンツに関連する属性情報とを記憶する検索キー記憶機能と、
前記取得された属性情報と、前記記憶されている属性情報とを照合し、照合条件を満たす属性情報に関連する検索キーを抽出する検索キー決定機能と、
前記決定された検索キーを使用して前記取得したコンテンツを検索するコンテンツを検索する検索機能と、
をコンピュータによって実現する
ことを特徴とするコンテンツ検索方法のプログラム。
【発明の詳細な説明】
【技術分野】
【０００１】
本発明は、属性情報を用いてコンテンツを検索するコンテンツ検索装置及びその方法に関するものである。
【背景技術】
【０００２】
近年、音響信号または映像信号を解析して得た特徴量からなる検索キーと検索対象の音響信号または映像信号を解析して得た特徴量とを比較し、両者の類似性を算出することにより、検索対象の音響信号または映像信号中から検索キーと類似する部分を検索する検索装置の研究開発が進められている。
【０００３】
特許文献１では、ユーザが検索キーの抽出元の音響信号または映像信号を聴取または視聴して検索キーを検索部に登録している。
【特許文献１】特開２００１−１３４６１３公報
【発明の開示】
【発明が解決しようとする課題】
【０００４】
しかしながら、上記の従来方式では、ユーザが検索キー記憶部の中から検索キーを探して一つ一つ指定する必要があるという問題点があった。
【０００５】
そこで、本発明は、このような事情を考慮してなされたもので、ユーザが検索キーを直接指定しなくてもよいコンテンツ検索装置及びその方法を提供する。
【課題を解決するための手段】
【０００６】
本発明は、コンテンツを取得するコンテンツ取得部と、前記コンテンツに関連する属性情報を取得する属性情報取得部と、前記コンテンツの中の位置を検索するための検索キーと、前記検索キーに関連付けてコンテンツに関連する属性情報とを記憶する検索キー記憶部と、前記取得された属性情報と、前記記憶されている属性情報とを照合し、照合条件を満たす属性情報に関連する検索キーを抽出する検索キー決定部と、前記決定された検索キーを使用して前記取得したコンテンツを検索する検索部と、を有することを特徴とするコンテンツ検索装置である。
【発明の効果】
【０００７】
本発明であると、ユーザが検索キーを直接指定しなくてもよく、属性情報と関連の有る検索キーのみを使用して検索するため計算負荷が減少する。
【発明を実施するための最良の形態】
【０００８】
以下、図面を参照して本発明の好ましい実施の形態に係るコンテンツ検索装置について説明する。
【０００９】
なお、本明細書において、「コンテンツ」とは、テレビ、ラジオ、衛星放送、有線放送などの放送された番組またはＣＭをいう。また、「属性情報」とは、コンテンツを区別するための番組に関連する性質を表す情報をいう。
【００１０】
［第１の実施形態］
本発明の第１の実施形態に係るコンテンツ検索装置について図１から図４に基づいて説明する。
【００１１】
（１）コンテンツ検索装置の構成
図１は、本実施形態に係るコンテンツ検索装置の構成を示すブロック図である。
【００１２】
図１に示すようにコンテンツ検索装置は属性情報取得手段１、コンテンツ取得手段２、検索キー記憶手段３、検索キー決定手段４、検索手段５から構成される。
【００１３】
属性情報取得手段１は、検索キーの属性を区別する属性情報を取得し、検索キー決定手段４に属性情報を出力する。
【００１４】
コンテンツ取得手段２は、コンテンツを取得し、検索手段５にコンテンツを出力する。
【００１５】
検索キー記憶手段３は、属性情報と検索キーを関連付けて記憶する。
【００１６】
検索キー決定手段４は、属性情報取得手段１から入力された属性情報と検索キー記憶手段３に記憶されている検索キーの属性情報を照合し、一致する属性情報の検索キーを検索手段５に登録する。
【００１７】
検索手段５はコンテンツ取得手段２から入力されたコンテンツから登録された検索キーを検索する。
【００１８】
（２）コンテンツ検索装置の動作の概要
次に、図１及び図２を用いてコンテンツ検索装置の動作について説明する。
【００１９】
図２は、コンテンツ検索装置の動作を示すフローチャートである。
【００２０】
本動作は、例えば、あるチャンネル（例えば、１ｃｈ）の生放送の番組に対して属性情報から検索キーを設定する。ユーザが１ｃｈから３ｃｈへチャンネルを切り替え、３ｃｈのコンテンツ視聴中に元の１ｃｈにおいて検索キーを検出した場合、現在の３ｃｈに検索されたことを通知する裏番組監視を行なうものである。
【００２１】
始めに、属性情報取得手段１は属性情報を取得し、検索キー決定手段４へ出力する（ステップＳ１０１）。
【００２２】
検索キー決定手段４は入力された属性情報と一致する属性情報を検索キー記憶手段３から検索する（ステップＳ１０２）。
【００２３】
検索した結果、一致する属性情報の全てに付いて属性情報に関連付けられた検索キーを検索キー記憶手段３から取得し検索手段５に登録する（ステップＳ１０３、Ｓ１０４）。
【００２４】
コンテンツ取得手段２はコンテンツを取得し（ステップＳ１０５）、コンテンツを検索手段５へ出力する（ステップＳ１０６）。
【００２５】
検索手段５は、登録された検索キーをコンテンツから検索する（ステップＳ１０７）。
【００２６】
（３）コンテンツ検索装置の動作の詳細
次に、さらに詳細なコンテンツ検索装置の具体的な動作について説明する。
【００２７】
始めに、属性情報取得手段１はＥＰＧの番組に対する属性情報を取得する。この時属性情報はユーザが入力してもよい。属性情報取得手段１は取得した属性情報の内番組タイトルを抽出し検索キー決定手段４に出力する。
【００２８】
検索キー決定手段４は番組タイトルを検索キー記憶手段３の番組タイトルと照合する。検索キー記憶手段３が図３のように構成されているとする。この時に検索キー決定手段４に入力された番組タイトルが「番組Ａ」の場合、検索キー記憶手段３の中で「番組Ａ」に対応する検索キーである「検索キー１」、「検索キー２」、「検索キー３」を検索手段５に登録する。
【００２９】
登録された検索キーが音響信号の特徴量である音響検索キーである場合、コンテンツ取得手段２は取得した音響情報を含むコンテンツの音響信号を検索手段５に出力する。検索手段５ではコンテンツ取得手段２から入力された音響信号を解析し、登録された音響検索キーと類似する部分を検索する。
【００３０】
検索キーが文字テキストである場合、検索手段５ではコンテンツ取得手段２から入力された音響信号を用いて登録された文字テキストを音声認識により検索する。音声認識の方法としては、例えば、非特許文献１（"Spoken Language Processing",Prentice Hall PTR, ISBN 0-13-022616-5）に掲載のＨＭＭ法による音声認識方法等既存のいかなる方法を用いてもよい。
【００３１】
登録された検索キーが映像信号の特徴量である映像検索キーである場合、コンテンツ取得手段２は取得した映像情報を含むコンテンツの映像信号を検索手段５に出力する。検索手段５ではコンテンツ取得手段２から入力された映像信号を解析し、登録された映像検索キーと類似する部分を検索する。
【００３２】
（４）コンテンツ検索装置の動作の変更例
また、属性情報取得手段１が属性情報を抽出する際に、属性情報取得手段１が取得した属性情報の中でユーザが番組タイトルと曜日を組み合わせてグループ化して抽出し検索キー決定手段４に出力したとする。なお、このときにユーザが番組タイトルと曜日を指定してもよい。
【００３３】
検索キー決定手段４は、グループ化された番組タイトルと曜日の組み合わせと、検索キー記憶手段３においてグループ化された番組タイトルと曜日の組み合わせとを照合する。検索キー記憶手段３が図４のように構成されているとする。このとき検索キー決定手段４に入力された番組タイトルと曜日の組み合わせがそれぞれ「番組Ａ」と「月曜日」である場合、検索キー記憶手段３の中で「番組Ａ」と「月曜日」に対応する検索キーである「検索キー１」と「検索キー２」を検索手段５に登録する。
【００３４】
なお、このときに、グループ化された属性情報が全て一致したものを選択してもよく、また、一致した属性情報は一番多いグループを選択してもよい。
【００３５】
（５）本実施形態の効果
このように本実施形態によると、ユーザが検索キーを直接指定しなくても番組等の属性を指定すればよく、属性情報と関連のある検索キーのみを使用して検索するので計算負荷が減少する。
【００３６】
［第２の実施形態］
本発明の第２の実施形態に係るコンテンツ検索装置について図５から図６に基づいて説明する。
【００３７】
（１）コンテンツ検索装置の構成
図５は、本実施形態に係るコンテンツ検索装置の構成を示すブロック図である。
【００３８】
図５に示すようにコンテンツ検索装置は属性情報取得手段１、コンテンツ取得手段２、検索キー記憶手段３、検索キー決定手段４、検索手段５、コンテンツ記憶手段６、検索結果記録手段７から構成される。
【００３９】
属性情報取得手段１は、検索キーの属性を区別する属性情報を取得し、コンテンツ記憶手段６に属性情報を出力する。
【００４０】
コンテンツ取得手段２は、コンテンツを取得し、コンテンツ記憶手段６にコンテンツを出力する。
【００４１】
コンテンツ記憶手段６は、属性情報取得手段１から入力した属性情報とコンテンツ取得手段２から取得したコンテンツを関連付けて記憶し、検索キー決定手段４に属性情報を出力し、検索手段５にコンテンツを出力する。
【００４２】
検索キー記憶手段３は、属性情報と検索キーを関連付けて記憶する。
【００４３】
検索キー決定手段４は、コンテンツ記憶手段６から入力された属性情報と検索キー記憶手段３に記憶されている検索キーの属性情報を照合し、一致する属性情報の検索キーを検索手段５に登録する。
【００４４】
検索手段５は、コンテンツ記憶手段６から入力されたコンテンツから登録された検索キーを検索する。
【００４５】
検索結果記録手段７は、検索結果を記憶されたコンテンツと関連付けて記録する。
【００４６】
（２）コンテンツ検索装置の動作の概要
次に、図５及び図６を用いて本実施形態に係わるコンテンツ検索装置の動作について説明する。
【００４７】
本動作は、例えば、番組を予約した時にＥＰＧ（電子番組表）から属性情報を取得し、属性情報に対応する検索キーを設定する。そして、録画時にコンテンツから検索キーを検出し、検索結果を記憶する。そして、録画したコンテンツを視聴中に検索位置にスキップするものである。
【００４８】
図６は本実施形態に係わるコンテンツ検索装置の動作を示すフローチャートである。
【００４９】
始めに、属性情報取得手段１は属性情報を取得し（ステップＳ２０１）、コンテンツ記憶手段６へ出力する。
【００５０】
コンテンツ記憶手段３は属性情報を記憶し（ステップＳ２０２）、検索キー決定手段へ属性情報を出力する。
【００５１】
検索キー決定手段４は入力された属性情報と一致する属性情報を検索キー記憶手段３から検索する（ステップＳ２０３、Ｓ２０４）。
【００５２】
検索した結果、一致する属性情報の全てに付いて属性情報に関連付けられた検索キーを検索キー記憶手段３から取得し検索手段５に登録する（ステップＳ２０５）。
【００５３】
コンテンツ取得手段２はコンテンツを取得し（ステップＳ２０６）、コンテンツ記憶手段６へ出力する。
【００５４】
コンテンツ記憶手段６は記憶している属性情報と関連付けてコンテンツを記憶し（ステップＳ２０７）、コンテンツを検索手段５へ出力する（ステップＳ２０８）。
【００５５】
検索手段５は、登録された検索キーをコンテンツから検索する（ステップＳ２０９）。
【００５６】
検索結果記録手段７は、検索結果をコンテンツの検索位置とともに記録する（ステップＳ２１０）。
【００５７】
（３）コンテンツ検索装置の動作の詳細
次に、さらに詳細なコンテンツ検索装置の具体的な動作について説明する。
【００５８】
始めに、属性情報取得手段１はＥＰＧの番組に対する属性情報を取得する。このとき属性情報はユーザが入力してもよい。属性情報取得手段１は取得した属性情報の内で番組タイトルを抽出しコンテンツ記憶手段６に出力する。
【００５９】
コンテンツ記憶手段６は番組タイトルを記憶し、番組タイトルを検索キー決定手段４に出力する。
【００６０】
検索キー決定手段４は番組タイトルを検索キー記憶手段３の番組タイトルと照合する。検索キー記憶手段３が図３のように構成されているとする。このとき検索キー決定手段４に入力された番組タイトルが「番組Ａ」の場合、検索キー記憶手段３の中で「番組Ａ」に対応する検索キーである「検索キー１」、「検索キー２」、「検索キー３」を検索手段５に登録する。
【００６１】
コンテンツ取得手段２は取得したコンテンツをコンテンツ記憶手段６に出力する。コンテンツ記憶手段６は記憶している番組タイトルと関連付けて番組コンテンツを記憶する。
【００６２】
登録された検索キーが音響信号の特徴量である音響検索キーである場合、コンテンツ記憶手段６は、番組コンテンツの音響信号を検索手段５に出力する。検索手段５ではコンテンツ記憶手段２から入力された音響信号を解析し、登録された音響検索キーと類似する部分を検索する。
【００６３】
検索キーが文字テキストである場合、検索手段５ではコンテンツ取得手段２から入力された音響信号を用いて登録された文字テキストを音声認識により検索する。
【００６４】
登録された検索キーが映像信号の特徴量である映像検索キーである場合、コンテンツ記憶手段６は取得した映像情報を含むコンテンツの映像信号を検索手段５に出力する。検索手段５ではコンテンツ記憶手段２から入力された映像信号を解析し、登録された映像検索キーと類似する部分を検索する。
【００６５】
（４）コンテンツ検索装置の動作の変更例
また、属性情報取得手段１が属性情報を抽出する際に、属性情報取得手段１が取得した属性情報の内、ユーザが番組タイトルと曜日の組み合わせをグループ化して抽出し検索キー決定手段４に出力したとする。なお、このときユーザが番組タイトルと曜日を指定してもよい。
【００６６】
検索キー決定手段４は、グループ化された番組タイトルと曜日の組み合わせと、検索キー記憶手段３のグループ化された番組タイトルと曜日の組み合わせとを照合する。検索キー記憶手段３が図４のように構成されているとする。このとき検索キー決定手段４に入力された番組タイトルと曜日の組み合わせがそれぞれ「番組Ａ」と「月曜日」である場合、検索キー記憶手段３の中で「番組Ａ」と「月曜日」に対応する検索キーである「検索キー１」と「検索キー２」を検索手段５に登録する。
【００６７】
さらに、図７のブロック図に示すように、検索キーを検索キー記憶手段３に登録する際、コンテンツ記憶手段６内のコンテンツを再生中に検索キーを作成し、作成した検索キーはコンテンツ記憶手段６に記憶されている作成した検索キーのコンテンツの番組タイトルと関連付けて検索キー記憶手段３に登録するようにしてもよい。
【００６８】
（５）本実施形態の効果
このように本実施形態によると、ユーザが検索キーを直接指定しなくても番組等の属性
を指定すればコンテンツを記憶しながら検索し、属性情報と関連のある検索キーのみを使用して検索するので計算負荷が減少する。
【００６９】
［第３の実施形態］
本発明の第３の実施形態に係るコンテンツ検索装置について図７から図８に基づいて説明する。
【００７０】
（１）コンテンツ検索装置の構成
図７は、本実施形態に係るコンテンツ検索装置の構成を示すブロック図である。
【００７１】
図７に示すように本発明におけるコンテンツ検索装置は属性情報取得手段１、コンテンツ取得手段２、検索キー記憶手段３、検索キー決定手段４、検索手段５、コンテンツ保持手段８、検索結果記録手段７から構成される。
【００７２】
属性情報取得手段１は、コンテンツ保持手段８から検索キーの属性を区別する属性情報を取得し、検索キー決定手段４に属性情報を出力する。
【００７３】
コンテンツ取得手段２は、コンテンツ保持手段８からコンテンツを入力し、検索部５にコンテンツを出力する。
【００７４】
コンテンツ保持手段８は、属性情報とコンテンツを関連付けて記憶し、属性情報取得手段１に属性情報を出力し、コンテンツ取得手段２にコンテンツを出力する。
【００７５】
検索キー記憶手段３は、属性情報と検索キーを関連付けて記憶する。
【００７６】
検索キー決定手段４は、属性情報取得手段１から入力された属性情報と検索キー記憶手段３に記憶されている検索キーの属性情報を照合し、一致する属性情報の検索キーを検索手段５に登録する。
【００７７】
検索手段５は、コンテンツ取得手段２から入力されたコンテンツから登録された検索キーを検索する。
【００７８】
検索結果記録手段７は、検索結果を記憶されたコンテンツと関連付けて記録する。
【００７９】
（２）コンテンツ検索装置の動作の概要
次に、図７及び図８を用いて本実施形態に係わるコンテンツ検索装置の動作について説明する。
【００８０】
本動作、複数のコンテンツを再生する前にコンテンツに関連する属性情報に対応する検索キーを設定する。そして、再生時にコンテンツから検索キーを検出し、検索結果を記憶する。そして、検索結果から各コンテンツの一部を抽出してプレイリストを作成する。
【００８１】
図８は本実施形態に係わるコンテンツ検索装置の動作を示すフローチャートである。
【００８２】
始めに、コンテンツ保持手段８はコンテンツ取得手段２に出力するコンテンツの属性情報を属性情報取得手段１に出力する（ステップＳ３０１）。
【００８３】
属性情報取得手段１は入力された属性情報を検索キー決定手段へ出力する。
【００８４】
検索キー決定手段４は入力された属性情報と一致する属性情報を検索キー記憶手段３から検索する（ステップＳ３０２、Ｓ３０３）。検索した結果、一致する属性情報の全てに付いて属性情報に関連付けられた検索キーを検索キー記憶手段３から取得し検索手段５に登録する（ステップＳ３０４）。
【００８５】
コンテンツ取得手段２はコンテンツ保持手段８からコンテンツを取得し（ステップＳ３０５）、検索手段５へ出力する（ステップＳ３０６）。
【００８６】
検索手段５は、登録された検索キーをコンテンツから検索する（ステップＳ３０７）。
【００８７】
検索結果記録手段７は、検索結果をコンテンツの検索位置とともに記録する（ステップＳ３０８）。
【００８８】
（３）コンテンツ検索装置の動作の詳細
次に、さらに詳細なコンテンツ検索装置の具体的な動作について説明する。
【００８９】
始めに、属性情報取得手段１はコンテンツ保持手段８からコンテンツ取得手段２へ出力するコンテンツの属性情報を取得する。属性情報取得手段１は取得した属性情報の内番組タイトルを抽出し検索キー決定手段４に出力する。
【００９０】
検索キー決定手段４は番組タイトルを検索キー記憶手段３の番組タイトルと照合する。検索キー記憶手段３が図３のように構成されているとする。このとき検索キー決定手段４に入力された番組タイトルが「番組Ａ」の場合、検索キー記憶手段３の中で「番組Ａ」に対応する検索キーである「検索キー１」、「検索キー２」、「検索キー３」を検索手段５に登録する。
【００９１】
コンテンツ保持手段８はコンテンツをコンテンツ取得手段２に出力する。
【００９２】
登録された検索キーが音響信号の特徴量である音響検索キーである場合、コンテンツ取得手段６は番組コンテンツの音響信号を検索手段５に出力する。検索手段５ではコンテンツ取得手段２から入力された音響信号を解析し、登録された音響検索キーと類似する部分を検索する。
【００９３】
検索キーが文字テキストである場合、検索手段５ではコンテンツ取得手段２から入力された音響信号を用いて登録された文字テキストを音声認識により検索する。
【００９４】
登録された検索キーが映像信号の特徴量である映像検索キーである場合、コンテンツ取得手段６は番組コンテンツの映像信号を検索手段５に出力する。検索手段５ではコンテンツ取得手段２から入力された映像信号を解析し、登録された映像検索キーと類似する部分を検索する。
【００９５】
（４）コンテンツ検索装置の動作の変更例
また、属性情報取得手段１が属性情報を抽出する際に、属性情報取得手段１が取得した属性情報の内、ユーザが番組タイトルと曜日の組み合わせをグループ化して抽出し検索キー決定手段４に出力したとする。なお、このときユーザが番組タイトルと曜日を指定してもよい。
【００９６】
検索キー決定手段４は、グループ化された番組タイトルと曜日の組み合わせと、検索キー記憶手段３のグループ化された番組タイトルと曜日の組み合わせとを照合する。検索キー記憶手段３が図４のように構成されているとする。このとき検索キー決定手段４に入力された番組タイトルと曜日の組み合わせがそれぞれ「番組Ａ」と「月曜日」である場合、検索キー記憶手段３の中で「番組Ａ」と「月曜日」に対応する検索キーである「検索キー１」と「検索キー２」を検索手段５に登録する。
【００９７】
さらに、図１０のブロック図に示すように、検索キーを検索キー記憶手段３に登録する際、コンテンツ保持手段８内のコンテンツを再生中に検索キーを作成し、作成した検索キーはコンテンツ保持手段８に記憶されている作成した検索キーのコンテンツの番組タイトルと関連付けて検索キー記憶手段３に登録するようにしてもよい。
【００９８】
（５）本実施形態の効果
このように本実施形態によると、ユーザが検索キーを直接指定しなくても番組コンテンツを指定すればコンテンツを再生しながら検索し、属性情報と関連のある検索キーのみを使用して検索するので計算負荷が減少する。
【００９９】
［変更例］
なお、本発明は上記実施形態そのままに限定されるものではなく、実施段階ではその要旨を逸脱しない範囲で構成要素を変形して具体化できる。
【０１００】
また、上記実施形態に開示されている複数の構成要素の適宜な組み合わせにより、種々の発明を形成できる。
【０１０１】
例えば、実施形態に示される全構成要素から幾つかの構成要素を削除してもよい。さらに、異なる実施形態にわたる構成要素を適宜組み合わせてもよい。
【産業上の利用可能性】
【０１０２】
コンテンツ検索装置は、ハードディスクレコーダー、ＤＶＤレコーダーなどの録画録音装置に番組などのコンテンツを録画、録音し、その録画、録音した内容をユーザが見たり聞いたりするときに、簡単に希望する番組を検索できるものである。
【図面の簡単な説明】
【０１０３】
【図１】本発明の第１の実施形態に係わるコンテンツ検索装置の構成を示すブロック図である。
【図２】第１の実施形態の動作を示すフローチャートである。
【図３】第１の実施形態に係る検索キー記憶手段の構成例を示す図である。
【図４】実施形態に係る検索キー記憶手段の構成例を示す図である。
【図５】第２の実施形態に係わるコンテンツ検索装置の構成を示すブロック図である。
【図６】第２の実施形態の動作を示すフローチャートである。
【図７】第２の実施形態の変更例に係わるコンテンツ検索装置の構成を示すブロック図である。
【図８】第３の実施形態に係わるコンテンツ検索装置の構成を示すブロック図である。
【図９】第３の実施形態の動作を示すフローチャートである。
【図１０】第３の実施形態の変更例に係わるコンテンツ検索装置の構成を示すブロック図である。
【符号の説明】
【０１０４】
１…属性情報取得手段
２…コンテンツ取得手段
３…検索キー記憶手段
４…検索キー決定手段
５…検索手段
６…コンテンツ記憶手段
７…検索結果記録手段
８…コンテンツ保持手段
【図１】
2006311462.tif 000003
【図２】
2006311462.tif 000004
【図３】
2006311462.tif 000005
【図４】
2006311462.tif 000006
【図５】
2006311462.tif 000007
【図６】
2006311462.tif 000008
【図７】
2006311462.tif 000009
【図８】
2006311462.tif 000010
【図９】
2006311462.tif 000011
【図１０】
2006311462.tif 000012